(57)【特許請求の範囲】
【請求項１】
負荷に供給される電力を一定期間計測した消費電力データに基づいて、１日の消費電力の変化により当該負荷に係る作業者の出勤時刻及び退勤時刻を１日毎に推定するステップと、
前記出勤時刻及び退勤時刻に基づき１日の在勤時間中の負荷の消費電力量を算出し、所定期間における前記１日の在勤時間中の負荷の消費電力量の平均を算出するステップと、
１日の在勤時間中における最大の消費電力と、各時間における消費電力との差に基づいて各時間における節電電力量の推定値を推定し、該推定値を在勤時間について累積し１日の推定節電電力量として１日毎に算出するステップと、
前記１日の推定節電電力量と、該推定節電電力量と該１日の在勤時間中の消費電力量の和との比を第１のパラメータとして算出し、該１日の在勤時間中の消費電力量と所定期間における１日の在勤時間中の消費電力量の平均との比を第２のパラメータとして算出するステップと、
前記算出した第１及び第２のパラメータに基づく節電努力評価指標を該当日の前記計測した１日の各時間の消費電力と共に表示するステップと、を含むことを特徴とする消費電力表示方法。
【請求項２】
前記表示するステップは、前記第１のパラメータ及び第２のパラメータをそれぞれ所定の閾値と比較して、前記節電努力評価指標として評価レベルを示すマークを表示するステップを含むことを特徴とする請求項１に記載の消費電力表示方法。
【請求項３】
負荷に供給される電力を一定期間計測した消費電力データに基づいて、１日の消費電力の変化により当該負荷に係る作業者の出勤時刻及び退勤時刻を１日毎に推定する出退勤時刻算出部と、
前記出勤時刻及び退勤時刻に基づき１日の在勤時間中の負荷の消費電力量を算出し、所定期間における前記１日の在勤時間中の負荷の消費電力量の平均を算出する消費電力量算出部と、
１日の在勤時間中における最大の消費電力と、各時間における消費電力との差に基づいて各時間における節電電力量の推定値を推定し、該推定値を在勤時間について累積し１日の推定節電電力量として１日毎に算出する節電電力量算出部と、
前記１日の推定節電電力量と、該推定節電電力量と該１日の在勤時間中の消費電力量の和との比を第１のパラメータとして算出し、該１日の在勤時間中の消費電力量と所定期間における１日の在勤時間中の消費電力量の平均との比を第２のパラメータとして算出する評価部と、
前記算出した第１及び第２のパラメータに基づく節電努力評価指標を該当日の前記計測した１日の各時間の消費電力と共に表示する表示部と、を備えることを特徴とする消費電力表示装置。
【請求項４】
前記表示部は、前記第１のパラメータ及び第２のパラメータをそれぞれ所定の閾値と比較して、前記節電努力評価指標として評価レベルを示すマークを表示するステップを含むことを特徴とする請求項３に記載の消費電力表示装置。
【発明の詳細な説明】
【技術分野】
【０００１】
本発明は、消費電力の計測値を表示する消費電力表示装置及び消費電力表示方法に関する。
【背景技術】
【０００２】
使用電力の瞬時電力及び電力量を測定する手段としては、パーソナルコンピュータなどの負荷が接続されるタップであって、検出した電圧、電流をデジタル変換し、マイクロコンピュータによって一定時間幅ごとの平均値として瞬時電力を求め、この瞬時電力を積算して電力量を算出する、電力計測タップと呼ばれるものが知られている。
【０００３】
この電力計測タップを用いると、会社などにおいて個人ごとに消費電力を計測することができ、特許文献１に開示のような、電力会社が分電盤に設置した電力計を使って消費電力の総和を計測する方法とは異なり、誰の消費電力が大きいかを調べることができる。
また、従来、電力計測タップで計測した個人の消費電力をグラフまたは表にして表示し、無用な電力消費をしていないか解析することが行われている。
【先行技術文献】
【特許文献】
【０００４】
【特許文献１】特開２００５−４５９４８号公報
【発明の開示】
【発明が解決しようとする課題】
【０００５】
しかし、許容される消費電力は、業務内容、使用する電気機器の個々の消費電力、機器の数などにより異なるものであり、単純に消費電力を表示するだけでは、電力の無駄使いを行なっているかどうかは判断できない。
【０００６】
本発明は、上述のような実情を鑑みてなされたものであり、作業者の使用電力の大小に拘わらず節電努力をしているか否か判別可能な消費電力表示装置及び消費電力表示方法を提供することをその目的とする。
【課題を解決するための手段】
【０００７】
上記課題を解決するために、本発明の第１の技術手段は、消費電力表示方法であって、負荷に供給される電力を一定期間計測した消費電力データに基づいて、１日の消費電力の変化により当該負荷に係る作業者の出勤時刻及び退勤時刻を１日毎に推定するステップと、前記出勤時刻及び退勤時刻に基づき１日の在勤時間中の負荷の消費電力量を算出し、所定期間における前記１日の在勤時間中の負荷の消費電力量の平均を算出するステップと、１日の在勤時間中における最大の消費電力と、各時間における消費電力との差に基づいて各時間における節電電力量の推定値を推定し、該推定値を在勤時間について累積し１日の推定節電電力量として１日毎に算出するステップと、前記１日の推定節電電力量と、該推定節電電力量と該１日の在勤時間中の消費電力量の和との比を第１のパラメータとして算出し、該１日の在勤時間中の消費電力量と所定期間における１日の在勤時間中の消費電力量の平均との比を第２のパラメータとして算出するステップと、前記算出した第１及び第２のパラメータに基づく節電努力評価指標を該当日の前記計測した１日の各時間の消費電力と共に表示するステップと、を含むことを特徴としたものである。
【０００８】
本発明の第２の技術手段は、第１の技術手段において、前記表示するステップは、前記第１のパラメータ及び第２のパラメータをそれぞれ所定の閾値と比較して、前記節電努力評価指標として評価レベルを示すマークを表示するステップを含むことを特徴としたものである。
【０００９】
本発明の第３の技術手段は、消費電力表示装置であって、負荷に供給される電力を一定期間計測した消費電力データに基づいて、１日の消費電力の変化により当該負荷に係る作業者の出勤時刻及び退勤時刻を１日毎に推定する出退勤時刻算出部と、前記出勤時刻及び退勤時刻に基づき１日の在勤時間中の負荷の消費電力量を算出し、所定期間における前記１日の在勤時間中の負荷の消費電力量の平均を算出する消費電力量算出部と、１日の在勤時間中における最大の消費電力と、各時間における消費電力との差に基づいて各時間における節電電力量の推定値を推定し、該推定値を在勤時間について累積し１日の推定節電電力量として１日毎に算出する節電電力量算出部と、前記１日の推定節電電力量と、該推定節電電力量と該１日の在勤時間中の消費電力量の和との比を第１のパラメータとして算出し、該１日の在勤時間中の消費電力量と所定期間における１日の在勤時間中の消費電力量の平均との比を第２のパラメータとして算出する評価部と、前記算出した第１及び第２のパラメータに基づく節電努力評価指標を該当日の前記計測した１日の各時間の消費電力と共に表示する表示部と、を備えることを特徴としたものである。
【００１０】
本発明の第４の技術手段は、第３の技術手段において、前記表示部が、前記第１のパラメータ及び第２のパラメータをそれぞれ所定の閾値と比較して、前記節電努力評価指標として評価レベルを示すマークを表示するステップを含むことを特徴としたものである。
【発明の効果】
【００１１】
本発明では、１日の消費電力量と一定期間の消費電力量の平均との比に加えて、１日の消費電力量と推定節電電力量との比に基づいて、節電努力をしているか否かの評価を行なっているため、個人毎の消費電力量の大小と関係なく努力を評価できる。また、評価のための各パラメータは、計測した消費電力量から自動的に計算できるため、電力計測対象の数が増えても設定の手間が不要である。
【図面の簡単な説明】
【００１２】
【図１】本発明の消費電力表示装置を含む消費電力表示システムの構成例を模式的に示す図である。
【図２】図１の表示装置の内部構成例を示すブロック図である。
【図３】図１の電力測定タップの構成例を示す図である。
【図４】図１の電力測定タップから表示装置へ送られる消費電力データの一例を説明する図である。
【図５】図１の表示装置が全ての電力測定タップ３から受信した消費電力データを集計した集計消費電力データの一例を説明する図である。
【図６】図１の表示装置による消費電力表示の一例を示す図である。
【図７】図１の表示装置による消費電力表示の他の例を示す図である。
【図８】図１の表示装置による消費電力のグラフ表示処理の一例を説明するフローチャートである。
【図９】推定節電電力量の大きい場合、小さい場合の例を示す図である。
【図１０】図２の出退勤時刻算出部が行う出勤時刻、退勤時刻の推定処理の一例を説明するフローチャートである。
【図１１】図２の出退勤時刻算出部が出勤時刻、退勤時刻を推定できない場合の、消費電力の一日の推移の例を示す図である。
【図１２】図２の表示装置における消費電力量Ｗｎと１日の推定節電電力量の算出処理の一例を説明するフローチャートである。
【発明を実施するための最良の形態】
【００１３】
図１は、本発明の消費電力表示装置を含む消費電力表示システムの構成例を模式的に示す図である。
図１において参照符号１で例示する消費電力表示システムは、パーソナルコンピュータなどの負荷における消費電力を表示する消費電力表示装置（以下、表示装置と省略）２と、負荷に電力を供給すると共に該電力を測定する電力測定タップ３と、を備える。
表示装置２と電力測定タップ３のそれぞれには、無線アンテナ２５ａ，３７ａが内蔵されており、該無線アンテナ２５ａ，３７ａを介した無線通信により、電力測定タップ３から表示装置２へ消費電力データが送られる。表示装置２では、消費電力データに基づいて消費電力を表示する。
【００１４】
図２は、図１の表示装置２の内部構成例を示すブロック図である。
表示装置２は、制御部２０と、一時記憶部２１と、記憶部２２と、入力処理部２３と、表示処理部２４と、通信処理部２５と、タブレット２６と、ディスプレイ２７とを備える。なお、表示装置２は、消費電力の表示専用の装置であってもよいし、汎用のパーソナルコンピュータであってもよい。
【００１５】
制御部２０は、ＣＰＵ（Central Processing Unit）を用い、記憶部２２に記憶されている消費電力表示用プログラムＰ１などの各種プログラムを一時記憶部２１に読み出して実行することにより、表示装置２の各部の動作を制御する。
なお、制御部２０が有する出退勤時刻算出部２０ａ、消費電力量算出部２０ｂ、推定節電電力量算出部２０ｃ、評価部２０ｄについては後述する。
一時記憶部２１には、ＲＡＭ（Random Access Memory）、例えば、ＳＲＡＭ（Static RAM）、ＤＲＡＭ（Dynamic RAM）を用いる。一時記憶部２１には、上述のように読み出されたプログラムが記憶されると共に、制御部２０の処理によって発生する情報が記憶される。
記憶部２２はハードディスク、又はＳＳＤ（Solid State Drive）などを用いる。記憶部２２には、消費電力表示用プログラムＰ１が記憶されている。他に、グラフ表示装置１における他のアプリケーションソフトウェアプログラムが記憶されていてもよいのは勿論である。
【００１６】
入力処理部２３には、ペン２６ａによる入力を受け付けるタブレット２６が接続される。入力処理部２３は、表示装置２のユーザの操作により入力されるボタンの押下情報、画面中の位置を示す座標情報などの情報を受け付け、制御部２０へ通知する。
表示処理部２４には、液晶ディスプレイなどを用いるディスプレイ２７が接続されている。ディスプレイ２７は本発明の「表示部」に相当する。制御部２０は、表示処理部２４を介し、ディスプレイ２７に消費電力のグラフ表示用のアプリケーション画面を出力し、アプリケーション画面内に画像を表示させる。
通信処理部２５には、無線通信を行うための無線アンテナ２５ａが接続されている。なお、無線通信手段２５ａによる消費電力データを送受信するための通信プロトコルは、ＺｉｇＢｅｅ（ジグビイ）などのプロトコルを用いればよい。通信プロトコルはこれに限られない。
【００１７】
図３は、図１の電力測定タップ３の構成例を示す図である。
電力測定タップ３は、制御部３０と、一時記憶部３１と、記憶部３２と、電流計３３と、コンセント３４と、インタフェース回路（Ｉ／Ｆ）３５と、内部バス３６と、通信処理部３７とを備える。
制御部３０は、記憶部３２に記憶されているプログラムを一時記憶部３１に読み出して実行することにより、電力測定タップ３の各部の動作を制御する。
一時記憶部３１には、ＲＡＭを用いる。一時記憶部３１には、上述のように読み出されたプログラムが記憶されると共に、制御部３０の処理によって発生する情報が記憶される。記憶部３２にはＲＯＭ（Read Only Memory）などを用いる。
【００１８】
電力測定タップ３は、電源プラグ４により電気の供給を受ける。電気は電力線５を通り、電流計３３を通過して、コンセント３４に供給される。電流計３３から得られたデジタル変換された測定値は、電流計のインタフェース回路３５を通じて、内部バス３６に伝達される。
通信処理部３７には、無線アンテナ３７ａが接続されている。
【００１９】
このような電力測定タップ３では、制御部３０が、負荷に供給される電力を電流計３３を用いて一定期間（例えば１日）に亘って所定期間ごと（例えば１秒ごと）に計測した消費電力データを生成しており、表示装置２からの要求に応じて、該表示装置２に無線アンテナ３７ａを介し消費電力データを送る。
【００２０】
図４は、電力測定タップ３から表示装置２へ送られる消費電力データの一例を説明する図である。図４（Ａ）は、数値を表形式で示したものであり、消費電力データすなわちテーブルＴ１の第１行は、０時から２３時まで１時間ごとの時間であり、同第２行はその時間内（１時間）における消費電力量（単位Ｗｈ）である。図４（Ｂ）のグラフＧ１は、図４（Ａ）の消費電力データをグラフ化したものである。
なお、１時間毎の消費電力量Ｗｈと当該１時間の平均消費電力Ｗは同じ値になる。以下の説明では、１時間毎の消費電力は消費電力量と同義とする。
【００２１】
図５は、表示装置２が全ての電力測定タップ３から受信した消費電力データを集計した集計消費電力データの一例を説明する図である。図５の集計消費電力データすなわちテーブルＴ２の第１列は、電力測定タップ３の固有番号、同第２列は電力を測定した日付、同第３列以降は、消費電力量（単位Ｗｈ）である。この例では、３台の電力測定タップのデータを、４日間にわたって集計している。
【００２２】
表示装置２では、図５で例示した集計消費電力データに基づいて、負荷毎に、例えば、電力測定タップ３の１日の時間毎の消費電力の推移をグラフや表で表示する。
【００２３】
その際、出退勤時刻算出部２０ａが、集計消費電力データに基づいて、該当する電力測定タップ３について、１日の消費電力の変化により、電力測定タップ３に係る作業者の出勤時刻Ｓ及び退勤時刻Ｅを推定／算出する。出勤時刻Ｓ及び退勤時刻Ｅは、１日の消費電力の表示が指示された日を含む所定期間（例えば４日間）の１日毎に算出される。
【００２４】
また、消費電力量算出部２０ｂは、集計消費電力データに基づいて、上記所定期間内の１日毎に、出退勤時刻算出部２０ａが推定した出勤時刻Ｓから退勤時刻Ｅまでの間すなわち勤務時間中の合計の消費電力量Ｗｎを算出し、また、該消費電力量Ｗｎの上記所定期間における平均値を平均消費電力量Ｗｔとして算出する。
【００２５】
推定節電電力量算出部２０ｃは、集計消費電力データに基づいて、出退勤時刻算出部２０ａが推定した勤務時間中（在勤時間中）の最大の消費電力と、実際の各時間の消費電力との差を、各１時間あたりの節電電力量と推定し、該推定した節電電力量を勤務時間について累積し一日の推定節電電力量Ｗｄとして算出する。このように勤務時間中の最大の消費電力を基準とするのは、最大の消費電力が計測される期間は、電力測定タップに接続されている全ての機器の電源がＯＮとなっていると推定されるからである。
【００２６】
評価部２０ｄは、該当する日について、一日の推定節電電力量Ｗｄと、「一日の推定節電電力量Ｗｄと一日の勤務時間中の消費電力量Ｗｎとの和」、すなわち、推定した勤務時間中の最大の１時間あたりの消費電力で該勤務時間にわたって消費した場合の電力量との比を第１のパラメータＲａとし、該当する日の勤務時間中の合計の消費電力量Ｗｎと所定期間中の平均消費電力量Ｗｔとの比を第２のパラメータＲｂとして算出する。
【００２７】
そして、表示装置２は、消費電力をディスプレイ２７に表示する際に、第１及び第２のパラメータに基づく節電努力評価指標を表示する。
より具体的には、評価部２０ｄが、第１のパラメータＲａと第２のパラメータＲｂとを用いて１日の節電努力の評価値Ｚを算出する。評価値Ｚの具体例については後述する。
表示装置２は、消費電力をディスプレイ２７に表示する際に、節電努力評価指標として、上記評価値Ｚに基づいて異なる警告マークを表示する。
【００２８】
図６は、表示装置２による消費電力表示の一例を示す図である。
図６は、消費電力表示をグラフ表示で行う例であり、図のグラフＧ２は、１日の消費電力をグラフ表示しており、評価値Ｚに応じて色が異なる警告マークＭ１を重ねて表示している。
【００２９】
図７は、表示装置２による消費電力表示の他の例を示す図である。
図７は、消費電力表示を表で行う例であり、図の表Ｔ１は、所定期間内の１日の消費電力を表で表示しており、評価値Ｚに応じて形状が異なる警告マークＭ２（例えば、○△×）を第３列に表示している。
このような表示を見ることにより、ユーザは、節電努力をきちんと行なっているか否かを容易に把握することができる。
なお、上から３行目の警告マーク欄が空白である意味は後述する。
【００３０】
図８は、表示装置２による消費電力のグラフ表示処理の一例を説明するフローチャートである。
表示装置２では、ある電力測定タップ３について１日の消費電力の推移のグラフ表示の指示をタブレット２６を介して受け付けると、出退勤時刻算出部２０ａが、集計消費電力データを参照し、１日の消費電力の変化に基づいて、該当する日を含む所定期間内の当該電力測定タップ３に係る作業者の出勤時刻Ｓ及び退勤時刻Ｅを１日毎に推定・算出し（ステップＳ１）、ステップＳ２に進む。
【００３１】
ステップＳ２では、該当する日の出勤時刻Ｓ及び退勤時刻Ｅが求められたか判定する。求められた場合（ＹＥＳの場合）、ステップＳ３に進み、求められない場合（ＮＯの場合）、ステップＳ８に進む。出勤時刻Ｓ及び退勤時刻Ｅが求められない場合とは、消費電力の変化が少ない場合であり、詳細は後述する。
ステップＳ３では、消費電力量算出部２０ｂが、出退勤時刻算出部２０ａが推定した出勤時刻Ｓから退勤時刻Ｅまでの合計の消費電力量Ｗｎを一日毎に算出し、該消費電力量Ｗｎの平均である平均消費電力量Ｗｔを算出する。また、推定節電電力量算出部２０ｃが、出退勤時刻算出部２０ａが推定した出勤時刻Ｓから退勤時刻Ｅまでの間で最大の消費電力と、実際の各時間の消費電力との差を、各時間の節電電力量と推定し、該推定した節電電力量を出勤時刻Ｓから退勤時刻Ｅまで累積し１日の推定節電電力量Ｗｄを算出し、ステップＳ４に進む。
【００３２】
ステップＳ４では、以下の式により、評価部２０ｄが、消費電力量Ｗｎと１日の推定節電電力量Ｗｄの和と、１日の推定節電電力量Ｗｄとの比Ｒａを求め、ステップＳ５に進む。
Ｒａ＝Ｗｄ／（Ｗｎ＋Ｗｄ）
【００３３】
ステップＳ５では、以下の式により、評価部２０ｄが、消費電力Ｗｎと所定期間の平均消費電力量Ｗｔの比Ｒｂを求め、ステップＳ６に進む。
Ｒｂ＝Ｗｎ／Ｗｔ
【００３４】
ステップＳ６では、以下の式を用いて、評価部２０ｄが、節電努力の評価値Ｚを求め、ステップＳ７に進む。節電努力の評価値Ｚは、例えば、下記の式による。
【００３５】
もし、消費電力量Ｗｎが平均消費電力量Ｗｔより小さい場合、すなわち、Ｒｂ＜１の場合、
Ｚ＝Ｒａ＋（１−Ｒｂ）
【００３６】
それ以外の場合
Ｚ＝Ｒａ
【００３７】
上の式の意味を、以下の場合に分けて説明する。
（１）１日の推定節電電力量Ｗｄ＝０、かつ、Ｒｂ≧１の場合、Ｚ＝０
（２）１日の推定節電電力量Ｗｄ＝０、かつ、Ｒｂ＜１の場合、Ｚ＝１−Ｒｂ
（３）１日の推定節電電力量Ｗｄ＞０、かつ、Ｒｂ≧１の場合、Ｚ＝Ｒａ
（４）１日の推定節電電力量Ｗｄ＞０、かつ、Ｒｂ＜１の場合、Ｚ＝Ｒａ＋（１−Ｒｂ）
【００３８】
（１）の場合、１日の推定節電電力量Ｗｄ＝０であるため、使用していない機器の電力のＯＮ／ＯＦＦを行う節電の努力は行っていないと考えられる。さらに、消費電力量Ｗｎと平均消費電力量Ｗｔの比Ｒｂが１以上であることから消費電力も平均値以上使用しており、節電努力の評価値Ｚは０となる。
【００３９】
（２）の場合、１日の推定節電電力量Ｗｄ＝０であるため、使用していない機器の電力のＯＮ／ＯＦＦを行う、節電の努力は行っていないと考えられる。しかし、消費電力量Ｗｎと平均消費電力量Ｗｔの比Ｒｂが１より小さいことから、消費電力を抑える努力は行っていると考えられ、節電努力の評価値Ｚは１−Ｒｂで評価する。この値は消費電力量が小さいほど大きくなる。
【００４０】
（３）の場合、１日の推定節電電力量Ｗｄ＞０であるため、使用していない機器の電力のＯＮ／ＯＦＦを行う節電の努力を行っていると考えられる。そのため、節電努力の評価値ＺをＲａで評価する。この値は１日の推定節電電力量Ｗｄが大きいほど大きくなる。
【００４１】
（３）の例の電力を図９（Ａ）及び図９（Ｂ）に示す。図９では、Ｓは出勤時刻、Ｅは退勤時刻、Ｍａは出勤時刻Ｓから退勤時刻Ｅまでの間の最大消費電力、Ｗｄは１日の推定節電電力量を示す。図９（Ａ）のグラフは、１日の推定節電電力量Ｗｄの値が大きい場合である。図９（Ｂ）のグラフは、１日の推定節電電力量Ｗｄの値が小さい場合である。
【００４２】
（４）の場合、１日の推定節電電力量Ｗｄ＞０であるため、使用していない機器の電力のＯＮ／ＯＦＦを行う節電の努力を行っていると考えられる。さらに、消費電力量が平均値より小さいため、節電努力の評価値ＺをＲａ＋（１−Ｒｂ）で評価する。この値は１日の推定節電電力量Ｗｄが大きいほど、また、消費電力量が小さいほど大きくなる。図９（Ｃ）のグラフは、１日の推定節電電力量Ｗｄの値が小さいが、消費電力量も小さい場合である。この場合、節電努力の評価値Ｚは、図９（Ｂ）のものよりも大きな値になる。
【００４３】
ステップＳ７では、表示装置２は、指定された日付の消費電力のグラフをディスプレイ２７に描画し、その際、節電努力の評価値Ｚとあらかじめ決められた閾値とを比較し、異なる色の警告マークも表示し、処理を終了する。 上記閾値は、例えば、２つの値Ｙ１、Ｙ２（Ｙ１＞Ｙ２）を設定しておき、Ｚ≧Ｙ１ならば、緑色、Ｙ１＞Ｚ≧Ｙ２ならば黄色、Ｙ２＞Ｚならば赤、といった色の異なる警告マークを表示すればよい。もちろん、警告マークは、色を変えるだけでなく、○△×といった異なる記号を表示してもかまわない。
【００４４】
ステップＳ８では、表示装置２は、指定された日付の消費電力のグラフをディスプレイ２７に描画し、その際、灰色の警告マークを表示し、処理を終了する。警告マークを灰色とするのは、出勤時刻もしくは退勤時刻が求められなかった場合、それを区別するためである。もちろん、その場合は警告マークを表示しないとか、異なる記号を表示するといった方法でもかまわない。なお、図７の上から３行目の警告マーク欄が空白であるのは、警告マークを表示しない例である。
【００４５】
図１０は、出退勤時刻算出部２０ａが行う出勤時刻、退勤時刻の推定処理の一例を説明するフローチャートである。
出退勤時刻算出部２０ａは、まず、出勤時刻、退勤時刻を求めたい日の時間帯毎の電力量を配列Ａに入れる（ステップＳ１１）。 本例では、配列Ａへの時間帯毎の電力量の格納方法は、時間的に早い時間帯から順番にいれる方式とする。
【００４６】
ステップＳ１２では、配列Ａに格納された電力量の最大値を求め、Ｍａとし、ステップＳ１３に進む。 
ステップＳ１３では、出勤時刻の探索を開始する配列要素をｉＳ、配列Ａの要素数−１をｉＥとする。１日の電力計測の始まりを午前０時とした場合、午前０時には、前日出社してからそのまま次の日を迎えた場合も考えられる。その場合は、出勤時刻の探索を開始する時刻を午前３時ごろに設定してもよい。この出勤時刻の探索を開始する時刻は職場の状況に応じて設定すればよい。本例では、配列Ａには、電力を取得した時間の早い順番にいれる方式としているため、出勤時刻の探索を開始する時刻を決めれば、その配列要素ｉＳの値も求められる。配列Ａの要素数は、電力量を集計する時間間隔によって決まる。たとえば図４の例のように１時間ごとに集計する場合、配列の要素数は２４、ｉＥは２３となる。ｉＳとｉＥを設定したのち、ステップ１４に進む。
【００４７】
ステップＳ１４では、出勤時刻に対応する配列要素Ｓｉを未定義とし、出勤時刻を探索するための変数ｉをｉＳとし、ステップＳ１５に進む。 
ステップＳ１５では、後述の判定式Ｃを用いて、現在の配列要素が出勤時刻に対応するか否かを判定する。対応する場合（Ｙｅｓの場合）、ステップＳ１８に進み、対応しない場合、ステップＳ１６に進む。 
【００４８】
判定式Ｃは、例えば、下記の通りである。
判定式Ｃ（ａ１，ａ２，ｍａ）＝
ｍａ＜Ｍｎ  ならば  Ｎｏ
ｍａ≧Ｍｎであり  ｜ａ１−ａ２｜＞ｍａ  ×  Ｒ  ならば  Ｙｅｓ
ｍａ≧Ｍｎであり、｜ａ１−ａ２｜≦ｍａ  ×  Ｒ  ならば  Ｎｏ
【００４９】
ここで、ａ１、ａ２は、判定式Ｃの引数で、配列Ａの要素すなわちある時間帯の電力量がはいる。ｍａは、判定式Ｃの引数で、最大電力量Ｍａがはいる。定数Ｍｎは、最大電力量に対する閾値である。判定式Ｃの最初の条件式により最大電力量ＭａがＭｎより小さければ、結果をＮｏとする。Ｍｎの値は、電力計測タップ３に接続した機器が電源ＯＮしたときの電力よりも余裕をもって小さい値に設定すればよい。定数Ｒは、最大電力の何割より大きい電力を測定したときに出社したとみなすかの割合で、０から１の間の値を調整して決めればよい。
【００５０】
ステップＳ１５では、判定式Ｃの引数は、ａ１＝Ａ［ｉ+1］，ａ２＝Ａ［ｉ］，ｍａ＝Ｍａである。
従って、判定式Ｃの値は、
Ｍａ＜Ｍｎ  ならば  Ｎｏ
Ｍａ≧Ｍｎであり、  ｜Ａ［ｉ+1］−Ａ［ｉ］｜＞Ｍａ  ×  Ｒ  ならば  Ｙｅｓ
Ｍａ≧Ｍｎであり、  ｜Ａ［ｉ+1］−Ａ［ｉ］｜≦Ｍａ  ×  Ｒ  ならば  Ｎｏ
である。
【００５１】
ステップＳ１６では、ｉ＋１＜ｉＥかどうかを判定する。Ｙｅｓの場合、ステップＳ１７でｉの値を１つ増やし、ステップＳ１５に戻る。Ｎｏの場合、ステップＳ１９に進む。
【００５２】
ステップＳ１８では、Ｓｉにｉを代入し、ステップＳ１９に進む。
【００５３】
ステップＳ１９では、退勤時刻に対応する配列要素Ｅｉを未定義とし、退勤時刻を探索するための変数ｉをｉＥとし、ステップＳ２０に進む。 
【００５４】
ステップＳ２０では、判定式Ｃを用いて、現在の配列要素が退勤時刻に対応するか否かを判定する。対応する場合（Ｙｅｓの場合）、ステップＳ２３に進み、対応しない場合、ステップＳ２１に進む。
【００５５】
ステップＳ２０では、判定式Ｃの引数は、ａ１＝Ａ［ｉ］，ａ２＝Ａ［ｉ-1］，ｍａ＝Ｍａである。
従って、判定式Ｃの値は、
Ｍａ＜Ｍｎ  ならば  Ｎｏ
Ｍａ≧Ｍｎであり、  ｜Ａ［ｉ］−Ａ［ｉ-1］｜＞Ｍａ  ×  Ｒ  ならば  Ｙｅｓ
Ｍａ≧Ｍｎであり、  ｜Ａ［ｉ］−Ａ［ｉ-1］｜≦Ｍａ  ×  Ｒ  ならば  Ｎｏ
である。
【００５６】
ステップＳ２１では、ｉ−１＞ｉＳかどうかを判定する。Ｙｅｓの場合、ステップＳ２２でｉの値を１つ減らし、ステップＳ２０に戻る。Ｎｏの場合、ステップＳ２４に進む。
【００５７】
ステップＳ２３では、Ｅｉにｉを代入し、ステップＳ２４に進む。
【００５８】
ステップＳ２４では、Ｓｉに該当する時間帯を出勤時刻と推定し、また、Ｅｉに該当する時間帯を退勤時刻と推定する。このとき、Ｓｉ、Ｅｉが未定義の場合がありえる。それは判定式ＣがつねにＮｏとなった場合である。そのような電力の例を図１１に示す。図１１（Ａ）は、電力の最大値Ｍａが、Ｍｎより小さい例である。図１１（Ｂ）は、電力の最大値Ｍａ＞Ｍｎであっても、電力の変化が、Ｍａ  ×  Ｒよりも小さく、判定式がＮｏとなる場合である。
【００５９】
図１２は、表示装置２における消費電力量Ｗｎと１日の推定節電電力量Ｗｄの算出処理の一例を説明するフローチャートである。
ステップＳ３１では、制御部２０において、まず、該当する日の出勤時刻Ｓから退勤時刻Ｅまでの時間帯毎の電力量配列Ａに入れる。
ステップＳ３２では、消費電力量算出部２０ｂが、配列Ａの最大値Ｍａを求め、ステップＳ３３に進む。
ステップＳ３３では、消費電力量算出部２０ｂが、配列Ａの電力量の総和を求め、消費電力量Ｗｎとし、ステップＳ３４に進む。
ステップＳ３４では、推定節電電力量算出部２０ｄが、推定節電電力すなわちＭａ−Ａ[ｉ]の総和を求め、推定節電電力量Ｗｄとし、処理を終了する。
【００６０】
以上の例では、負荷は１つの電力測定タップに接続された１または複数の電子機器であるが、本発明は、複数の電力測定タップに接続された電子機器群を負荷とする場合や、また、１つの電力測定タップに複数台の電子機器のうちの１台を負荷とする場合にも適用できる。
【００６１】
また、以上では、電力計測タップが、負荷に供給される電力を電流計を用いて一定期間（例えば１日）に亘って所定期間ごと（例えば１秒ごと）に計測した消費電力データを生成し、表示装置に送信していたが、上記所定期間ごとに計測した電力のデータを該計測ごとに表示装置に送信し、そのデータに基づいて表示装置が上記消費電力データを生成するようにしてもよい。
【００６２】
また、以上は、１日における１時間毎の消費電力量すなわち１時間の平均消費電力を表示する例であるが、１日における３０分毎や１５分毎の消費電力量を表示する場合にも本発明は適用できる。
【００６３】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６４】
１…消費電力表示システム、２…消費電力表示装置、３…電力測定タップ、２０…制御部、２０ａ…出退勤時刻算出部、２０ｂ…消費電力量算出部、２０ｃ…推定節電電力量算出部、２０ｄ…評価部、２７…ディスプレイ。
【図１】
0005537535.tif 000002
【図２】
0005537535.tif 000003
【図３】
0005537535.tif 000004
【図４】
0005537535.tif 000005
【図５】
0005537535.tif 000006
【図６】
0005537535.tif 000007
【図７】
0005537535.tif 000008
【図８】
0005537535.tif 000009
【図９】
0005537535.tif 000010
【図１０】
0005537535.tif 000011
【図１１】
0005537535.tif 000012
【図１２】
0005537535.tif 000013